(57)【要約】【課題】本発明は転輪の転動による内周側のバイアスコ−ドの破断をなくす芯金レスクロ−ラを提供するもので、転動部位のゴム中にはバイアスコ−ドが存在せず、これによってかかるバイアスコ−ド破断という欠点が解消した。【解決手段】クロ−ラの長手方向に向けてメインコ−ドが列状をなして埋設され、メインコ−ドの外周側にバイアスコ−ドが埋設され、内周面の中央部には一定ピッチにてゴム突起が形成されると共に外周面にはゴムラグが形成された芯金レスクロ−ラにおいて、ゴム突起が形成されたクロ−ラの中央域でメインコ−ドの内周側にクロ−ラの長手方向に向けてバイアスコ−ドを埋設した。１‥クロ−ラ、１Ａ、１Ｂ‥転輪の転動面、２‥メインコ−ド、５‥メインコ−ドの内周側に埋設されたバイアスコ−ド、６‥ゴム突起、。【選択図】図２
2006117063.tif 000002
【特許請求の範囲】
【請求項１】
クロ−ラの長手方向に向けてメインコ−ドが列状をなして埋設され、メインコ−ドの外周側にバイアスコ−ドが埋設され、内周面の中央部には一定ピッチにてゴム突起が形成されると共に外周面にはゴムラグが形成された芯金レスクロ−ラにおいて、ゴム突起が形成されたクロ−ラの中央域でメインコ−ドの内周側にクロ−ラの長手方向に向けてバイアスコ−ドを埋設したことを特徴とする芯金レスクロ−ラの構造。
【請求項２】
メインコ−ドの内周側に埋設されるバイアスコ−ドはメインコ−ドに対して直角方向に配置されたコ−ドである請求項１記載の芯金レスクロ−ラの構造。
【発明の詳細な説明】
【技術分野】
【０００１】
本発明は芯金レスクロ−ラの構造に関するものであり、クロ−ラの寿命を向上することを目的とするものである。
【背景技術】
【０００２】
図１は芯金レスクロ−ラの構造を表す断面図である。クロ−ラ１の長手方向に向けてメインコ−ド２が列状をなして埋設され、その外周側に２層のバイアスコ−ド３、４が、そして、内周側にバイアスコ−ド５が埋設される構造となっている。そして、内周面の中央部には一定ピッチにてゴム突起６が形成されてスプロケットからの駆動力を受け、外周面にはゴムラグ７が形成される構造となっている。
【０００３】
バイアスコ−ド３、４はメインコ−ド２に対してほぼ３５度程度逆向きのコ−ドであり、バイアスコ−ド５はメインコ−ド２に対してほぼ直角の方向性をもっている。これら各コ−ドはクロ−ラの横剛性のアップと共に、外部からの力に対してゴムのクラックの防止と共に、クラックが入った場合でもこのバイアスコ−ドの部位にてクラックが止まり、メインコ−ドには影響のないようにするためのものである。
【０００４】
しかるに、ゴム突起６の左右幅方向の内周面１Ａ、１Ｂは転輪の転動面であり、この部位は転輪によって繰り返し圧縮やこじりを受けることになり、内周側のバイアスコ−ド５がこれによって破断してしまうことがある。かかるバイアスコ−ド５の破断がもたらされると、この部位を基点としてゴムの剥離が発生し、ゴム欠け、これに基づくメインコ−ドの錆等が発生し、クロ−ラの寿命を著しく低下させることがある。
【発明の開示】
【発明が解決しようとする課題】
【０００５】
本発明は転輪の転動による内周側のバイアスコ−ドの破断をなくす芯金レスクロ−ラを提供するものである。
【課題を解決するための手段】
【０００６】
本発明の要旨は、クロ−ラの長手方向に向けてメインコ−ドが列状をなして埋設され、メインコ−ドの外周側にバイアスコ−ドが埋設され、内周面の中央部には一定ピッチにてゴム突起が形成されると共に外周面にはゴムラグが形成された芯金レスクロ−ラにおいて、ゴム突起が形成されたクロ−ラの中央域でメインコ−ドの内周側にクロ−ラの長手方向に向けてバイアスコ−ドを埋設した芯金レスクロ−ラの構造を提供するものである。
【発明の効果】
【０００７】
本発明は上記のような構成としたことにより、かかるクロ−ラの使用中に転輪がゴム突起６の左右幅を転動してもこの部位のゴム中にはバイアスコ−ドが存在せず、これによってかかるバイアスコ−ド破断という欠点が解消したものである。
【発明を実施するための最良の形態】
【０００８】
従来の技術にあっては、クロ−ラの剛性を高めるのに、クロ−ラの内周側にバイアスコ−ドを埋設すればよいという技術思想があり、その埋設する幅もメインコ−ドの全幅とほぼ同じ幅をもって埋設されていたが、これによって常に転輪の転動面にバイアスコ−ドが存在し、これによってバイアスコ−ドの破断が生じていたことは否めない。
【０００９】
しかるに、クロ−ラが使用される状態によっては、内周側のバイアスコ−ドがなくとも十分な剛性が確保される場合があり、又、メインコ−ドの全幅でなくとも良いという場合もあった。前者の場合にあっては、内周側のバイアスコ−ドは基本的には不要であり、後者の場合には、バイアスコ−ドの幅はさほど必要ではなかった。本発明はこの後者の場合における芯金レスクロ−ラに適用するものである。
【００１０】
芯金レスクロ−ラにあって、内周側に形成したゴム突起とスプロケットとの噛み合わせが繰り返されるが、ゴム突起の位置は内周側の所定の位置に安定して存在する必要があり、しかも、小石や土砂等を噛み込みながら走行することともなり、ゴム突起の周囲を補強する必要もある。本発明はこの対策をしたものということができる。
【００１１】
本発明の内周側のバイアスコ−ドは、一定ピッチで備えられたゴム突起に対応してクロ−ラの長手方向に沿って埋設されるものであり、このバイアスコ−ドの存在によってゴム突起周囲の剛性がアップすることとなり、一定ピッチがほぼ確実に保たれることになり、スプロケットとの噛み合わせも完全で、歯飛び現象等が極めて低減することとなったものである。勿論、ゴム突起の左右幅方向にはこのバイアスコ−ドが埋設されておらず、転輪の走行によってバイアスコ−ドが破断されるという現象もない。
【００１２】
尚、クロ−ラの剛性を必要とする際には、ゴム突起の左右幅方向に例えば高硬度のゴム層を形成することによってこれが達成可能であり、この高硬度のゴム層の硬度は、８０〜９５度（ＪＩＳ・Ａ）で、厚さ２〜４ｍｍ程度のゴム層を埋設することで十分である。
【実施例】
【００１３】
以下、本発明を実施例をもって更に詳細に説明する。
図２は本発明のクロ−ラの内周側平面図であり、図３は図２における断面図である。クロ−ラ１の長手方向に向けてメインコ−ド２が列状をなして埋設され、その外周側に２層のバイアスコ−ド３、４が埋設される構造となっている。そして、内周面の中央部には一定ピッチにてゴム突起６が形成されてスプロケットからの駆動力を受け、外周面にはゴムラグ７が形成される構造となっている。バイアスコ−ド３、４はメインコ−ド２に対してほぼ３５度程度逆向きのコ−ドを積層したものである。
【００１４】
さて、ゴム突起６に対応するゴム中にはバイアスコ−ド５が埋設されている。このバイアスコ−ド５はメインコ−ド２に直角方向にコ−ドが伸びており、一般にコ−ド角０度と称するものである。尚、各バイアスコ−ドは、スチ−ルコ−ドをすだれ状に並べたものである。
【００１５】
このバイアスコ−ド５はクロ−ラにある程度の剛性をもたらすと共に、ゴム突起６に対する強度アップとなり、スプロケットとの噛み合わせ時の歯飛び現象をなくすことに成功したものである。かかるバイアスコ−ド５を含めて、各コ−ドはクロ−ラの横剛性のアップと共に、外部からの力に対してゴムのクラックの防止と共に、クラックが入った場合でもこのバイアスコ−ドの部位にてクラックが止まり、メインコ−ドには影響のないようにするためのものである。勿論、必要であれば、ゴム突起６の左右に高硬度ゴムを埋設することも可能である。
【００１６】
図３からも分かるように転輪１０の転動するクロ−ラの内周面１Ａ、１Ｂに対して、バイアスコ−ド５が存在せず、これによってバイアスコ−ド５の破断は全くなくなる。
【産業上の利用可能性】
【００１７】
本発明は上記のような構成としたことにより、かかるクロ−ラの使用中にメインコ−ドより内周側のバイアスコ−ドが存在せず、これによってかかるバイアスコ−ド破断という欠点が解消したもので、芯金レスクロ−ラに広く採用可能である。
【図面の簡単な説明】
【００１８】
【図１】図１は従来のクロ−ラの断面図である。
【図２】図２は本発明のクロ−ラの内周側平面図である。
【図３】図３は図２のクロ−ラの断面図である。
【符号の説明】
【００１９】
１‥クロ−ラ、
１Ａ、１Ｂ‥転輪の転動面、
２‥メインコ−ド、
３、４‥メインコ−ドの外周側に埋設されたバイアスコ−ド、
５‥メインコ−ドの内周側に埋設されたバイアスコ−ド、
６‥ゴム突起、
７‥ゴムラグ、
１０‥転輪。
【図１】
2006117063.tif 000003
【図２】
2006117063.tif 000004
【図３】
2006117063.tif 000005